【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
人体に着用されるように設計されたナビゲーションシステムであって、
各々が締結手段および機能モジュールを有する少なくとも２つのユニット、特に２つのリストバンドを備え、前記少なくとも２つのユニットは空間的に離れて身体部分上に配置されることができ、
前記締結手段は、前記ナビゲーションシステムを直接前記身体部分に固定し、前記機能モジュールは、いずれの場合も前記締結手段に接続され、
前記機能モジュールは、コードレス受信機および少なくとも１つの触覚刺激モジュールを含み、前記刺激モジュールは、それが締結された身体部分に触覚刺激を送るように設計され、
前記コードレス受信機は、指示を受信し、かつ前記刺激モジュールを制御するように設計され、
前記２つのユニットは中央ユニットによって共同でかつ／または選択的に制御されることができ、
前記中央ユニットを用いてそれぞれの前記ユニットに方向インジケータが送信されることができる、ナビゲーションシステム。
【請求項２】
前記２つのユニットは、左側のユニットおよび右側のユニットであり、
前記左側のユニットは左への回転が行なわれるべきであることを示し、前記右側のユニットは右への回転が行なわれるべきであることを示す、請求項１に記載のナビゲーションシステム。
【請求項３】
前記２つのユニットの一方は、他方のユニットを制御するマスターとして機能することを特徴とする、請求項１または２に記載のナビゲーションシステム。
【請求項４】
マスターとして機能する前記ユニットは、制御信号を前記ユニットに送信するために、独立したナビゲーション、および／またはセンサ情報の検出および処理を可能にするモジュールを有することを特徴とする、請求項３に記載のナビゲーションシステム。
【請求項５】
マスターとして機能する前記ユニットは、ＳＩＭカードの差込口を有し、コードレス機能モジュールを有する、請求項３または４に記載のナビゲーションシステム。
【請求項６】
前記中央ユニット、特にスマートフォンは、ナビゲーションアプリケーションを有する、先行する請求項のうち１つ以上に記載のナビゲーションシステム。
【請求項７】
前記機能モジュールは、特に脈拍計、血圧センサ、加速度センサ、熱センサ、赤外線センサのうち１つ以上であるユーザの状態を検出するためのセンサを有し、前記ユーザの状態は、検出され、好ましくは前記機能モジュール内のトランスミッターを用いて前記中央ユニットに送信されることができる、先行する請求項のうち１つ以上に記載のナビゲーションシステム。
【請求項８】
前記刺激モジュールは特に、限度を上回った／到達していない時、ならびに／または曲線のコースおよび／もしくは勾配データを上回った／到達していない時に、前記センサ情報に基づいて作動されることができる、請求項７に記載のナビゲーションシステム。
【請求項９】
前記機能モジュール内の空間的に離間された異なる位置に複数の刺激モジュールを備え、前記異なる位置は前記身体部分によって検出することができる、先行する請求項のうち１つ以上に記載のナビゲーションシステム。
【請求項１０】
前記締結手段は、身体部分との直接接触を可能にする、衣類、時計、スマートフォン、杖、眼鏡、靴、手袋、スイミングアクセサリー、宝石、自転車のハンドル、および／またはサドルの品目の中の、締結可能なバンド、および／またはポケット／受けコンパートメントである、先行する請求項のうち１つ以上に記載のナビゲーションシステム。
【請求項１１】
前記刺激モジュールは、外部から作動されることができる異なる触覚刺激パターンを生成し、前記触覚刺激パターンは、以下のパラメータ：強度、頻度、時間の長さ、間隔、信号シーケンスのうち１つ以上を含む、先行する請求項のうち１つ以上に記載のナビゲーションシステム。
【請求項１２】
前記刺激モジュールは、振動触覚、電気触覚、機械触覚的に作用する、先行する請求項のうち１つ以上に記載のナビゲーションシステム。
【請求項１３】
前記２つのユニットは、前記刺激モジュールから右側および左側の刺激を受取るために右手首／足首および左手首／足首に締結することができる、またはそれぞれ締結されるリストバンド／足首バンドであり、
かつ／または、
前記２つのユニットは、前記刺激モジュールから右側および左側の刺激を受取るために左側および右側の靴に締結することができ、
かつ／または、前記２つのユニットは、前記刺激モジュールから右側および左側の刺激を受取るために車両のステアリングコントロールの左側および右側の領域に締結することができ、
かつ／または、前記２つのユニットは、前記刺激モジュールから右側および左側の刺激を受取るために、左側および右側の手袋に締結することができ、
かつ／または、前記２つのユニットは、前記刺激モジュールから右側および左側の刺激を受取るために、衣類のアイテムの左側および右側の領域に締結することができる、先行する請求項のうち１つ以上に記載のナビゲーションシステム。
【請求項１４】
前記刺激モジュールは、トレーニング方法と、程度、運動持続時間、中断の長さ、反復、頻度、スピードおよび／または負荷などの強度などの強度基準とが制御されることができるように、前記センサの情報に基づいて作動されることができることを特徴とする、先行する２つの請求項のうち１つ以上に記載のナビゲーションシステム。
【請求項１５】
機能ボタンによって視覚ナビゲーションから触覚ナビゲーションにナビゲーションを引き継ぐことを特徴とする、先行する請求項のうち１つ以上に記載のナビゲーションシステム。
【請求項１６】
前記ユニットが空間的に互いに統合させられることを識別し、それによってある機能をトリガするセンサが設けられる、先行する請求項のうち１つ以上に記載のナビゲーションシステム。
【請求項１７】
右側のリストバンドおよび左側のリストバンドを有するナビゲーション方法であって、
右への回転を命じる方向指示が前記右側のリストバンドの振動によって伝えられ、左への回転を命じる方向指示が前記左側のリストバンドの振動によって伝えられ、前記リストバンドはスマートフォンによって無線で前記方向指示を得る、ナビゲーション方法。
【請求項１８】
両方のリストバンドの振動は、まっすぐ進み続けるべきであることを示す、請求項１７に記載のナビゲーション方法。
【請求項１９】
先行する請求項のうち１つ以上に記載のナビゲーションシステムを用いたナビゲーション方法であって、
ナビゲーション指示が触覚刺激としてユーザに送られる、ナビゲーション方法。
【請求項２０】
カーナビゲーション装置が機能ボタンを有し、前記機能ボタンが操作された場合に、前記車両が放置されると、前記リストバンドは、経路誘導、特にナビゲーションを引き継ぐ、請求項１９に記載のナビゲーション方法。
【請求項２１】
先行する請求項のうち１つ以上に記載のナビゲーションシステムを用いた、請求項１９または２０に記載のナビゲーション方法であって、
ユーザのためのトレーニング情報またはモニタリング情報、特に心拍数が触覚刺激としてユーザに送られる、ナビゲーション方法。
【請求項２２】
人体に着用されるように設計された、触覚刺激によって個人を制御するための装置、特にナビゲーションシステムであって、
前記装置を直接前記身体部分に固定する１つ以上の締結手段と、１つまたは複数の前記締結手段に接続される少なくとも１つの機能モジュールとを有し、
前記機能モジュールは、コードレス受信機および少なくとも１つの触覚刺激モジュールを含むか、または、前記機能モジュール内の空間的に離間された異なる位置に複数の触覚刺激モジュールを備え、前記異なる位置は前記身体部分によって検出することができ、
前記刺激モジュールは、それが締結された身体部分に触覚刺激を送るように設計され、
前記コードレス受信機は、指示を受信し、かつ前記刺激モジュールを作動させるように設計され、
前記機能モジュールは、ユーザの状態を検出するための１つ以上のセンサ、特に赤外線センサを有し、
前記状態は、前記機能モジュール内のトランスミッターを用いて１つ以上の中央携帯型ユニットに送信されることができ、
前記刺激モジュールは、トレーニング方法および強度基準が制御されることができるように、前記センサの情報に基づいて作動されることができ、
１つまたは複数の前記締結手段は、リストバンド、足首バンド、ヘッドバンドまたは時計を構成するかまたはそれぞれ構成する、装置。